(57)【要約】【課題】記録媒体を装着可能な機器において、予め記録媒体に予約情報を記録しておくことなく、記録媒体を装着するだけで予約録画を実行し、記録媒体の内容の有無にかかわらず全領域に録画でき、また予め記録媒体にメーカーＩＤなどの録画鍵を記録しておき録画鍵に合ったＴＶ受信機や録画再生機に対してのみ利用可能な記録媒体録画システム、記録媒体録画装着及び記録媒体録画方法を提供すること。【解決手段】番組予約情報を入力設定し、記録媒体の選択を行い、記録媒体が選択された場合、自動録画を設定し、記録媒体への自動録画が設定されている時に記録媒体の自動更新（上書き）を設定すると、その状態で、装置本体に記録媒体を装着するのみで、録画モードに入り、番組予約が実行され、記録媒体の記録内容に関わらず記録媒体の先頭から全領域に亘って常に上書きによって録画できる。【選択図】  図４
2005191963.tif 000002
【特許請求の範囲】
【請求項１】
番組予約情報が設定される設定手段と、
記録媒体が装着される装着手段と、
前記装着手段に記録媒体が装着されているか否かをチェックするチェック手段と、
前記チェック手段にて記録媒体が装着されていると判定されている状態で、前記番組予約情報を前記記録媒体に記録するか否かが選択される選択手段と、
前記選択手段にて前記番組予約情報を前記記録媒体に記録するように選択されているとき、前記設定手段に設定されている前記番組予約情報を前記記録媒体に記録する記録手段と、を備えた番組予約情報記録装置と、
テレビジョン放送信号を受信する受信手段と、
受信した前記テレビジョン放送信号を復調する復調手段と、
前記記録媒体が装着される装着手段と、
前記装着手段に前記記録媒体が装着されているか否かをチェックする第１のチェック手段と、
前記第１のチェック手段にて前記記録媒体が装着されていると判定された場合に、その記録媒体に記録可能な領域があるか否かをチェックする第２のチェック手段と、
前記第２のチェック手段にて前記記録媒体に記録可能な領域があると判定されている状態で、前記記録媒体に記録されている前記番組予約情報を実行し前記記録媒体に前記復調された放送信号を録画する記録手段と、を備えた番組予約情報実行装置と、
を具備したことを特徴とする記録媒体録画システム。
【請求項２】
番組予約及び上書き録画可の情報が設定される設定手段と、
記録媒体が装着される装着手段と、
前記装着手段に記録媒体が装着されているか否かをチェックするチェック手段と、
前記チェック手段にて記録媒体が装着されていると判定されている状態で、前記番組予約及び上書き録画可の情報を前記記録媒体に記録するか否かが選択される選択手段と、
前記選択手段にて前記番組予約及び上書き録画可の情報を前記記録媒体に記録するように選択されているとき、前記設定手段に設定されている前記番組予約及び上書き録画可の情報を前記記録媒体に記録する記録手段と、を備えた番組予約情報記録装置と、
テレビジョン放送信号を受信する受信手段と、
受信した前記テレビジョン放送信号を復調する復調手段と、
前記記録媒体が装着される装着手段と、
前記装着手段に前記記録媒体が装着されているか否かをチェックするチェック手段と、
前記チェック手段にて前記記録媒体が装着されていると判定されている状態で、前記記録媒体に記録されている前記番組予約及び上書き録画可の情報を実行し前記記録媒体の記録内容に関わらずその記録媒体の先頭から上書きするように前記復調された放送信号を録画する記録手段と、を備えた番組予約情報実行装置と、
を具備したことを特徴とする記録媒体録画システム。
【請求項３】
装置本体の出所や分類に対応して、前記記録媒体に設定された録画鍵と、
前記装着手段に前記記録媒体が装着されたときに、前記録画鍵が一致するか否かを判定し、一致した場合のみ前記録画を可能とする判定手段と、
をさらに具備したことを特徴とする請求項１又は２に記載の記録媒体録画システム。
【請求項４】
テレビジョン放送信号を受信する受信手段と、
前記テレビジョン放送信号を復調する復調手段と、
番組予約情報が設定される第１の設定手段と、
番組が記録される記録媒体が選択される選択手段と、
前記選択手段にて記録媒体が選択された場合、自動録画が設定される第２の設定手段と、
前記第２の設定手段にて記録媒体への自動録画が設定されている状態で、記録媒体の自動更新が設定される第３の設定手段と、
記録媒体が装着される装着手段と、
前記装着手段に前記記録媒体が装着されているか否かをチェックするチェック手段と、
前記チェック手段にて記録媒体が装着されていると判定されている状態で、前記第１の設定手段に設定されている前記番組予約情報を実行し前記記録媒体の記録内容に関わらずその記録媒体の先頭から上書きするように前記復調された放送信号を録画する記録手段と、
を具備したことを特徴とする記録媒体録画装置。
【請求項５】
テレビジョン放送信号を受信する受信手段と、
前記テレビジョン放送信号を復調する復調手段と、
番組予約及び上書き録画可の情報が予め記録された記録媒体が装着される装着手段と、
前記装着手段に記録媒体が装着されているか否かをチェックするチェック手段と、
前記チェック手段にて記録媒体が装着されていると判定されている状態で、前記記録媒体に記録されている前記番組予約及び上書き録画可の情報を実行し前記記録媒体の記録内容に関わらずその記録媒体の先頭から上書きするように前記復調された放送信号を録画する記録手段と、
を具備したことを特徴とする記録媒体録画装置。
【請求項６】
装置本体の出所や分類に対応して、前記記録媒体に設定された録画鍵と、
前記装着手段に前記記録媒体が装着されたときに、前記録画鍵が一致するか否かを判定し、一致した場合のみ前記録画を可能とする判定手段と、
をさらに具備したことを特徴とする請求項４又は５に記載の記録媒体録画装置。
【請求項７】
テレビジョン放送信号を受信する受信手段と、
前記テレビジョン放送信号を復調する復調手段と、
番組予約及び上書き録画可の情報が設定される設定手段と、
記録媒体が装着される装着手段と、
前記装着手段に記録媒体が装着されているか否かをチェックするチェック手段と、
前記チェック手段にて記録媒体が装着されていると判定されている状態で、前記番組予約及び上書き録画可の情報を前記記録媒体に記録するか否かが選択される選択手段と、
前記選択手段にて前記番組予約及び上書き録画可の情報を前記記録媒体に記録するように選択されているとき、前記設定手段に設定されている前記番組予約及び上書き録画可の情報を前記記録媒体に記録する記録手段と、
を具備したことを特徴とする記録媒体録画装置。
【請求項８】
前記記録媒体には、装置本体の出所や分類に対応した録画鍵が設定されていることを特徴とする請求項７記載の記録媒体録画装置。
【請求項９】
番組予約情報が設定される設定手段と、
記録媒体が装着される装着手段と、
前記装着手段に記録媒体が装着されているか否かをチェックするチェック手段と、
前記チェック手段にて記録媒体が装着されていると判定されている状態で、前記番組予約情報を前記記録媒体に記録するか否かが選択される選択手段と、
前記選択手段にて前記番組予約情報を前記記録媒体に記録するように選択されているとき、前記設定手段に設定されている前記番組予約情報を前記記録媒体に記録する記録手段と、を備えた番組予約情報記録機能と、
テレビジョン放送信号を受信する受信手段と、
受信した前記テレビジョン放送信号を復調する復調手段と、
番組予約情報が設定される第１の設定手段と、
番組が記録される記録媒体が選択される選択手段と、
前記選択手段にて記録媒体が選択された場合、自動録画動作が設定される第２の設定手段と、
記録媒体が装着される装着手段と、
前記装着手段に前記記録媒体が装着されているか否かをチェックする第１のチェック手段と、
前記第１のチェック手段にて前記記録媒体が装着されていると判定された場合に、その記録媒体に記録可能な領域があるか否かをチェックする第２のチェック手段と、
前記第２のチェック手段にて前記記録媒体に記録可能な領域があると判定されている状態で、前記第１の設定手段に設定されている前記番組予約情報を実行し前記記録媒体に前記復調された放送信号を録画する記録手段と、を備えた番組予約情報実行機能と、
を具備したことを特徴とする記録媒体録画装置。
【請求項１０】
番組予約情報が設定される設定手段と、
記録媒体が装着される装着手段と、
前記装着手段に記録媒体が装着されているか否かをチェックするチェック手段と、
前記チェック手段にて記録媒体が装着されていると判定されている状態で、前記番組予約情報を前記記録媒体に記録するか否かが選択される選択手段と、
前記選択手段にて前記番組予約情報を前記記録媒体に記録するように選択されているとき、前記設定手段に設定されている前記番組予約情報を前記記録媒体に記録する記録手段と、を備えた番組予約情報記録機能と、
テレビジョン放送信号を受信する受信手段と、
受信した前記テレビジョン放送信号を復調する復調手段と、
番組予約の情報が設定される第１の設定手段と、
番組が記録される記録媒体が選択される選択手段と、
前記選択手段にて記録媒体が選択された場合、自動録画が設定される第２の設定手段と、
前記第２の設定手段にて記録媒体への自動録画が設定されている状態で、記録媒体の自動更新が設定される第３の設定手段と、
記録媒体が装着される装着手段と、
前記装着手段に前記記録媒体が装着されているか否かをチェックするチェック手段と、
前記チェック手段にて記録媒体が装着されていると判定されている状態で、前記第１の設定手段に設定されている前記番組予約情報を実行し前記記録媒体の記録内容に関わらずその記録媒体の先頭から上書きするように前記復調された放送信号を録画する記録手段と、を備えた番組予約情報実行機能と、
を具備したことを特徴とする記録媒体録画装置。
【請求項１１】
装置本体の出所や分類に対応して、前記記録媒体に設定された録画鍵と、
前記装着手段に前記記録媒体が装着されたときに、前記録画鍵が一致するか否かを判定し、一致した場合のみ前記録画を可能とする判定手段と、
をさらに具備したことを特徴とする請求項９または１０に記載の記録媒体録画装置。
【請求項１２】
番組予約情報が設定される設定ステップと、
記録媒体が装着される装着ステップと、
前記装着手段に記録媒体が装着されているか否かをチェックするチェックステップと、
前記チェックステップにて記録媒体が装着されていると判定されている状態で、前記番組予約情報を前記記録媒体に記録するか否かが選択される選択ステップと、
前記選択ステップにて前記番組予約情報を前記記録媒体に記録するように選択されているとき、前記設定ステップに設定されている前記番組予約情報を前記記録媒体に記録する記録ステップと、を備えた番組予約情報記録ステップと、
テレビジョン放送信号を受信する受信手段と、
受信した前記テレビジョン放送信号を復調する復調ステップと、
前記記録媒体が装着される装着ステップと、
前記装着ステップに前記記録媒体が装着されているか否かをチェックする第１のチェックステップと、
前記第１のチェックステップにて前記記録媒体が装着されていると判定された場合に、その記録媒体に記録可能な領域があるか否かをチェックする第２のチェックステップと、
前記第２のチェックステップにて前記記録媒体に記録可能な領域があると判定されている状態で、前記記録媒体に記録されている前記番組予約情報を実行し前記記録媒体に前記復調された放送信号を録画する記録ステップと、を備えた番組予約情報実行ステップと、
を具備したことを特徴とする記録媒体録画方法。
【発明の詳細な説明】
【技術分野】
【０００１】
本発明は、テレビ受信機（以下、ＴＶ受信機）若しくは録画再生機などの装置本体に小型の記録媒体（メモリカードや小型ハードディスクなど）を挿し込むだけで記録モードに入り映像及び音声データがその記録媒体に記録されるような録画機能を備えた記録媒体録画システム、記録媒体録画装着及び記録媒体録画方法に関する。
【背景技術】
【０００２】
従来の録画再生機、例えばＶＴＲでは基本的に再生モードが優先であった。ＶＴＲ本体にテープカセットを挿入すれば、自動的に再生モードに入り録画内容が再生される仕組みになっている。
【０００３】
録画に関しては、ユーザーが受信機器や記録機器を操作することが出来ない時刻の番組を記録する場合はタイマー予約などの設定を行い自動的に記録させていた。タイマー予約の手順を簡単にするために、番組表機能のある受信機から録画・録音機器を制御する方法などがある。これらの予約は受信機単体で予約を行い、予約の実行も同一の機器で行われていた。
【０００４】
一方、予約番組情報を予約記録装置を用いてメモリカードのような小型の記録媒体に記録しておき、この小型記録媒体をＴＶ受信機や録画再生機などの予約実行装置に挿し込むことで予約実行できる予約システムも提案されている（例えば、特許文献１参照）。
【特許文献１】特開２００３−１７９８３７号公報
【発明の開示】
【発明が解決しようとする課題】
【０００５】
従来は、録画再生の機能のうち再生部分を優先したものであり、メモリカードを挿し込むだけで記録モードに入るといった録画優先の録画再生機は一般的には殆どなく、さらに例えば毎日のテレビ放送の定時にあるニュース番組を毎日同じメモリカードに上書きして利用できるシステムはなかった。
【０００６】
また、特許文献１では、予約番組情報を予約記録装置を用いてメモリカードのような小型記録媒体に予め記録しておき、この小型記録媒体をＴＶ受信機や録画再生機などの予約実行装置に挿し込むことで予約実行できるものであり、予め小型記録媒体に予約情報を記録しておく作業が必要であった。また、予め小型記録媒体にメーカーＩＤ（或いは機種ＩＤ）を記録しておき同じメーカー（或いは機種）ＩＤを持ったＴＶ受信機や録画再生機に対してのみ利用可能なように録画制限及び録画予約制限を行うことができなかった。
【０００７】
そこで、本発明の目的は、記録媒体を装着可能な機器において、予め記録媒体に予約情報を記録しておくことなく、記録媒体を装着するだけで番組予約を実行する記録媒体録画システム、記録媒体録画装着及び記録媒体録画方法を提供することである。
【０００８】
また、本発明の他の目的は、記録媒体を装着可能な機器において、予め記録媒体に予約情報を記録しておくことなく、記録媒体を装着するだけで番組予約を実行し、記録媒体の内容の有無にかかわらず全領域に録画することができる記録媒体録画システム、記録媒体録画装着及び記録媒体録画方法を提供することである。
【０００９】
また、本発明の他の目的は、予め記録媒体にメーカーＩＤ（或いは機種ＩＤ）を記録しておき同じメーカー（或いは機種）ＩＤを持ったＴＶ受信機や録画再生機に対してのみ利用可能なように制限を設けた記録媒体録画システム、記録媒体録画装着及び記録媒体録画方法を提供することである。
【課題を解決するための手段】
【００１０】
本発明による記録媒体録画システムは、
番組予約情報が設定される設定手段と、
記録媒体が装着される装着手段と、
前記装着手段に記録媒体が装着されているか否かをチェックするチェック手段と、
前記チェック手段にて記録媒体が装着されていると判定されている状態で、前記番組予約情報を前記記録媒体に記録するか否かが選択される選択手段と、
前記選択手段にて前記番組予約情報を前記記録媒体に記録するように選択されているとき、前記設定手段に設定されている前記番組予約情報を前記記録媒体に記録する記録手段と、を備えた番組予約情報記録装置と、
テレビジョン放送信号を受信する受信手段と、
受信した前記テレビジョン放送信号を復調する復調手段と、
前記記録媒体が装着される装着手段と、
前記装着手段に前記記録媒体が装着されているか否かをチェックする第１のチェック手段と、
前記第１のチェック手段にて前記記録媒体が装着されていると判定された場合に、その記録媒体に記録可能な領域があるか否かをチェックする第２のチェック手段と、
前記第２のチェック手段にて前記記録媒体に記録可能な領域があると判定されている状態で、前記記録媒体に記録されている前記番組予約情報を実行し前記記録媒体に前記復調された放送信号を録画する記録手段と、を備えた番組予約情報実行装置と、を具備したことを特徴とする。
【００１１】
本発明による記録媒体録画システムは、
番組予約及び上書き録画可の情報が設定される設定手段と、
記録媒体が装着される装着手段と、
前記装着手段に記録媒体が装着されているか否かをチェックするチェック手段と、
前記チェック手段にて記録媒体が装着されていると判定されている状態で、前記番組予約及び上書き録画可の情報を前記記録媒体に記録するか否かが選択される選択手段と、
前記選択手段にて前記番組予約及び上書き録画可の情報を前記記録媒体に記録するように選択されているとき、前記設定手段に設定されている前記番組予約及び上書き録画可の情報を前記記録媒体に記録する記録手段と、を備えた番組予約情報記録装置と、
テレビジョン放送信号を受信する受信手段と、
受信した前記テレビジョン放送信号を復調する復調手段と、
前記記録媒体が装着される装着手段と、
前記装着手段に前記記録媒体が装着されているか否かをチェックするチェック手段と、
前記チェック手段にて前記記録媒体が装着されていると判定されている状態で、前記記録媒体に記録されている前記番組予約及び上書き録画可の情報を実行し前記記録媒体の記録内容に関わらずその記録媒体の先頭から上書きするように前記復調された放送信号を録画する記録手段と、を備えた番組予約情報実行装置と、を具備したことを特徴とする。
【００１２】
以上述べた２つの発明による記録媒体録画システムは、番組予約情報記録装置と、番組予約情報実行装置とが別体に構成され、番組予約情報記録装置で番組予約情報が記録された記録媒体を、別体に構成される番組予約情報実行装置で番組予約（及び上書き録画）実行する場合の録画システムである。
【００１３】
本発明による上記の記録媒体録画システムは、
装置本体の出所や分類に対応して、前記記録媒体に設定された録画鍵と、
前記装着手段に前記記録媒体が装着されたときに、前記録画鍵が一致するか否かを判定し、一致した場合のみ前記録画を可能とする判定手段と、をさらに具備したことを特徴とする。
【００１４】
本発明による記録媒体録画装置は、
テレビジョン放送信号を受信する受信手段と、
前記テレビジョン放送信号を復調する復調手段と、
番組予約情報が設定される第１の設定手段と、
番組が記録される記録媒体が選択される選択手段と、
前記選択手段にて記録媒体が選択された場合、自動録画が設定される第２の設定手段と、
前記第２の設定手段にて記録媒体への自動録画が設定されている状態で、記録媒体の自動更新が設定される第３の設定手段と、
記録媒体が装着される装着手段と、
前記装着手段に前記記録媒体が装着されているか否かをチェックするチェック手段と、
前記チェック手段にて記録媒体が装着されていると判定されている状態で、前記第１の設定手段に設定されている前記番組予約情報を実行し前記記録媒体の記録内容に関わらずその記録媒体の先頭から上書きするように前記復調された放送信号を録画する記録手段と、を具備したことを特徴とする。
【００１５】
この発明は、何も書き込まれていない記録媒体を、予め番組予約、自動録画及び自動更新（上書き可能なこと）が設定されている装置本体に挿し込んで、記録媒体に録画する場合の構成である。
【００１６】
本発明による記録媒体録画装置は、
テレビジョン放送信号を受信する受信手段と、
前記テレビジョン放送信号を復調する復調手段と、
番組予約及び上書き録画可の情報が予め記録された記録媒体が装着される装着手段と、
前記装着手段に記録媒体が装着されているか否かをチェックするチェック手段と、
前記チェック手段にて記録媒体が装着されていると判定されている状態で、前記記録媒体に記録されている前記番組予約及び上書き録画可の情報を実行し前記記録媒体の記録内容に関わらずその記録媒体の先頭から上書きするように前記復調された放送信号を録画する記録手段と、を具備したことを特徴とする。
【００１７】
この発明は、予め番組予約及び上書き録画可の情報が記録された記録媒体を、装置本体に挿し込んで、その記録媒体に録画する場合の構成である。
【００１８】
本発明による上記の記録媒体録画装置は、
装置本体の出所や分類に対応して、前記記録媒体に設定された録画鍵と、
前記装着手段に前記記録媒体が装着されたときに、前記録画鍵が一致するか否かを判定し、一致した場合のみ前記録画を可能とする判定手段と、をさらに具備したことを特徴とする。
【００１９】
本発明による記録媒体録画装置は、
テレビジョン放送信号を受信する受信手段と、
前記テレビジョン放送信号を復調する復調手段と、
番組予約及び上書き録画可の情報が設定される設定手段と、
記録媒体が装着される装着手段と、
前記装着手段に記録媒体が装着されているか否かをチェックするチェック手段と、
前記チェック手段にて記録媒体が装着されていると判定されている状態で、前記番組予約及び上書き録画可の情報を前記記録媒体に記録するか否かが選択される選択手段と、
前記選択手段にて前記番組予約及び上書き録画可の情報を前記記録媒体に記録するように選択されているとき、前記設定手段に設定されている前記番組予約及び上書き録画可の情報を前記記録媒体に記録する記録手段と、を具備したことを特徴とする。
【００２０】
この発明は、何も書き込まれていない記録媒体に、番組予約及び上書き録画可の情報を記録する場合の構成である。
【００２１】
ここで、前記記録媒体には、装置本体の出所や分類に対応した録画鍵が設定されていることを特徴とする。
【００２２】
本発明による記録媒体録画装置は、
番組予約情報が設定される設定手段と、
記録媒体が装着される装着手段と、
前記装着手段に記録媒体が装着されているか否かをチェックするチェック手段と、
前記チェック手段にて記録媒体が装着されていると判定されている状態で、前記番組予約情報を前記記録媒体に記録するか否かが選択される選択手段と、
前記選択手段にて前記番組予約情報を前記記録媒体に記録するように選択されているとき、前記設定手段に設定されている前記番組予約情報を前記記録媒体に記録する記録手段と、を備えた番組予約情報記録機能と、
テレビジョン放送信号を受信する受信手段と、
受信した前記テレビジョン放送信号を復調する復調手段と、
番組予約情報が設定される第１の設定手段と、
番組が記録される記録媒体が選択される選択手段と、
前記選択手段にて記録媒体が選択された場合、自動録画動作が設定される第２の設定手段と、
記録媒体が装着される装着手段と、
前記装着手段に前記記録媒体が装着されているか否かをチェックする第１のチェック手段と、
前記第１のチェック手段にて前記記録媒体が装着されていると判定された場合に、その記録媒体に記録可能な領域があるか否かをチェックする第２のチェック手段と、
前記第２のチェック手段にて前記記録媒体に記録可能な領域があると判定されている状態で、前記第１の設定手段に設定されている前記番組予約情報を実行し前記記録媒体に前記復調された放送信号を録画する記録手段と、を備えた番組予約情報実行機能と、を具備したことを特徴とする。
【００２３】
本発明による記録媒体録画装置は、
番組予約情報が設定される設定手段と、
記録媒体が装着される装着手段と、
前記装着手段に記録媒体が装着されているか否かをチェックするチェック手段と、
前記チェック手段にて記録媒体が装着されていると判定されている状態で、前記番組予約情報を前記記録媒体に記録するか否かが選択される選択手段と、
前記選択手段にて前記番組予約情報を前記記録媒体に記録するように選択されているとき、前記設定手段に設定されている前記番組予約情報を前記記録媒体に記録する記録手段と、を備えた番組予約情報記録機能と、
テレビジョン放送信号を受信する受信手段と、
受信した前記テレビジョン放送信号を復調する復調手段と、
番組予約の情報が設定される第１の設定手段と、
番組が記録される記録媒体が選択される選択手段と、
前記選択手段にて記録媒体が選択された場合、自動録画が設定される第２の設定手段と、
前記第２の設定手段にて記録媒体への自動録画が設定されている状態で、記録媒体の自動更新が設定される第３の設定手段と、
記録媒体が装着される装着手段と、
前記装着手段に前記記録媒体が装着されているか否かをチェックするチェック手段と、
前記チェック手段にて記録媒体が装着されていると判定されている状態で、前記第１の設定手段に設定されている前記番組予約情報を実行し前記記録媒体の記録内容に関わらずその記録媒体の先頭から上書きするように前記復調された放送信号を録画する記録手段と、を備えた番組予約情報実行機能と、を具備したことを特徴とする。
【００２４】
以上述べた２つの発明による記録媒体録画装置は、何の情報も書き込まれていない記録媒体を装置本体に挿し込むと、装置本体に予め設定された番組予約情報（及び上書き録画可の情報）をその記録媒体に書き込む番組予約情報記録機能と、何の情報も書き込まれていない記録媒体を装置本体に挿し込むと、予約録画モードに入り、装置本体に予め設定された番組予約情報（及び上書き録画可の情報）が実行され、受信されたテレビジョン放送信号をその記録媒体に記録する番組予約情報実行機能とを、１つの記録媒体録画装置内に備えた構成である。
【００２５】
本発明による上記記録媒体録画装置は、
装置本体の出所や分類に対応して、前記記録媒体に設定された録画鍵と、
前記装着手段に前記記録媒体が装着されたときに、前記録画鍵が一致するか否かを判定し、一致した場合のみ前記録画を可能とする判定手段と、をさらに具備したことを特徴とする。
【００２６】
本発明による記録媒体録画方法は、
番組予約情報が設定される設定ステップと、
記録媒体が装着される装着ステップと、
前記装着手段に記録媒体が装着されているか否かをチェックするチェックステップと、
前記チェックステップにて記録媒体が装着されていると判定されている状態で、前記番組予約情報を前記記録媒体に記録するか否かが選択される選択ステップと、
前記選択ステップにて前記番組予約情報を前記記録媒体に記録するように選択されているとき、前記設定ステップに設定されている前記番組予約情報を前記記録媒体に記録する記録ステップと、を備えた番組予約情報記録ステップと、
テレビジョン放送信号を受信する受信手段と、
受信した前記テレビジョン放送信号を復調する復調ステップと、
前記記録媒体が装着される装着ステップと、
前記装着ステップに前記記録媒体が装着されているか否かをチェックする第１のチェックステップと、
前記第１のチェックステップにて前記記録媒体が装着されていると判定された場合に、その記録媒体に記録可能な領域があるか否かをチェックする第２のチェックステップと、
前記第２のチェックステップにて前記記録媒体に記録可能な領域があると判定されている状態で、前記記録媒体に記録されている前記番組予約情報を実行し前記記録媒体に前記復調された放送信号を録画する記録ステップと、を備えた番組予約情報実行ステップと、を具備したことを特徴とする。
【００２７】
この発明による記録媒体録画方法は、番組予約情報記録ステップと、番組予約情報実行ステップとが別体に構成され、番組予約情報記録ステップで番組予約情報が記録された記録媒体を、別体に構成される番組予約情報実行ステップで予約実行する場合の録画方法である。
【発明の効果】
【００２８】
本発明によれば、記録媒体を装着可能な機器において、予め記録媒体に予約情報を記録しておくことなく、記録媒体を装着するだけで番組予約を実行することができる記録媒体録画システム、記録媒体録画装着及び記録媒体録画方法を実現することができる。
【００２９】
また、本発明によれば、予め記録媒体に予約情報を記録しておくことなく、記録媒体を装着するだけで番組予約を実行し、記録媒体の内容の有無にかかわらず記録媒体の全領域に録画することができる記録媒体録画システム、記録媒体録画装着及び記録媒体録画方法を実現することが可能となる。
【００３０】
また、本発明によれば、予め記録媒体にメーカーＩＤ（或いは機種ＩＤ）を記録しておき同じメーカー（或いは機種）ＩＤを持ったＴＶ受信機や録画再生機に対してのみ利用可能なように制限を設けた記録媒体録画システム、記録媒体録画装着及び記録媒体録画方法を実現することが可能となる。
【発明を実施するための最良の形態】
【００３１】
発明の実施の形態について図面を参照して説明する。
【実施例１】
【００３２】
図１は本発明の実施例１の記録媒体録画装置の概略構成を示すブロック図である。本実施例の録画装置は、デジタル受信機能を備えた装置となっている。
【００３３】
図１の記録媒体録画装置１０において、デジタルテレビジョン放送信号をデジタル放送受信アンテナ１１に供給され受信手段であるチューナ部１２で受信される。その受信された圧縮データは復調手段であるＭＰＥＧ２／４デコーダ１３でデコード（伸長）され、記録手段である記録部１４内の大容量（メイン）の記録媒体（図示略）に記録されるか、或いは小型記録媒体であるメモリカード１８に記録する。或いは、ＭＰＥＧ２／４デコーダ１３でデコードせずに、チューナ部１２からの圧縮したままのデータが記録部１４内の記録媒体またはメモリカード１８に記録される。
【００３４】
記録媒体録画装置１０には、装置本体内の各回路部などの記録再生の制御やデータの認識を行える制御手段としてのＣＰＵ１５、ＭＰＥＧ２／４デコーダ１３でデコードした映像データを表示するディスプレイ１７、番組予約情報を入力設定する予約手段１６、計時手段（図示せず）などが配設されている。
【００３５】
記録部１４には装置本体に設けられた図示しない装着手段にてメモリカード１８が着脱自在に取付け可能となっている。
【００３６】
ＭＰＥＧ２／４デコーダ１３は、ＭＰＥＧ２で圧縮された映像及び音声データをデコード可能である一方、ＭＰＥＧ４で圧縮された映像及び音声データをデコード可能となっている。ＭＰＥＧ４はＨ．２６４と同様に、ＭＰＥＧ２の１／１０以下のデータ量でデータ伝送される規格であって、将来的には地上波デジタル放送などをモバイル機器で受信及び記録するように検討されている規格である。
【００３７】
記録部１４は、前述したようにＭＰＥＧ２／４デコーダ１３でデコード（伸長）されたデータを記録可能である一方、チューナ部１２からのＭＰＥＧ圧縮されたままのデータをも記録可能とされている。
【００３８】
このような記録媒体録画装置１０では、予め予約手段１６にて番組予約情報（受信チャンネル、開始時刻、終了時刻など）を入力して予約設定しておいた状態で、装置本体の装着手段にメモリカード１８を挿し込んでおくと、録画開始時刻になるとＣＰＵ１５の制御の下に予約番組の記録が開始され、記録部１４によってメモリカード１８への録画が行われる。なお、メモリカード１８には、録画鍵181としてメーカーＩＤ或いは機種ＩＤが記録されていて、録画動作の開始に先立ってＣＰＵ１５が記録媒体録画装置１０の保有するＩＤと録画鍵ＩＤが一致するか否かを判定し、一致した場合にのみ録画を実行（開始）できるようにしてある。勿論、録画鍵181がなくても録画可能とすることもできる。
【００３９】
このような記録媒体録画装置１０によるメモリカード１８への予約録画及びその録画データの利用例を、図２を参照して説明する。
【００４０】
メモリカード１８は、例えば図２(a)に示すような録画装置１０の装着手段に装着され、映像データ（及び音声データ）が記録された後、装置本体から外して図２(b)のようなビューワー２０の装着部に挿し込んで視聴することが可能となる。なお、通常、ビューワー２０にはチューナ部がないので、映像データの再生機としては経済的に有利である。
【００４１】
次に、図１の予約録画のための操作及び動作の一例について、図３のフローチャートを参照して説明する。  
メモリカード１８の装着及び番組予約録画を行うに際して、前以って、図示しないリモコンなどの操作手段を用いて予約録画の受信チャンネル，開始時刻，終了時刻などを含む番組予約情報を入力する。入力された番組予約情報は予約手段１６に設定される（ステップＳ1）。なお、番組予約情報の入力は、例えば、ディスプレイ１７に表示されるメニュー画面の表示に従って行われる。そして、記録媒体の選択へ進む。
【００４２】
まず、メモリカードに記録するか否かの選択が行われる（ステップＳ2）。ステップＳ2でノー（ＮＯ）の判断をした場合、記録部１４内のメイン記録媒体への予約録画設定へ進む。或いは、ＴＶ受信機の機能で言えば番組視聴予約へ進む（ステップＳ4）。
【００４３】
ステップＳ2で「メモリカードに記録する」を選択した場合、自動録画設定をするか否かの選択が行われる（ステップＳ3）。ステップＳ3でノー（ＮＯ）の選択をした場合、通常の記録媒体の予約方法での設定となる。つまり、タイマー録画ボタンを押さない限り録画モードに入らない状態となる（ステップＳ6）。
【００４４】
ステップＳ3で「自動録画設定をする」を選択した場合、装置本体側にメモリカードを装着した後（ステップＳ6）、メモリカードが装置本体の装着手段に装着されているか否かが判定される（ステップＳ7）。メモリカードが装着されていると判定されると、録画鍵が一致するか否かが判定され（ステップＳ8）、録画鍵が一致していると、メモリカードに記録可能な領域があるか否かが判定される（ステップＳ9）。
【００４５】
ステップＳ9で、メモリカード１８に記録可能な領域があると、ステップＳ12へに進み、自動的に番組予約情報の内容が実行される。
【００４６】
なお、ステップＳ8で、録画鍵が一致しなかった場合や、ステップＳ9で記録可能な領域がない場合は、それぞれ、別のメモリカードを用意して（ステップＳ10，Ｓ11）、ステップＳ6にリターンし、Ｓ6〜Ｓ8、またはＳ6〜Ｓ9を繰り返す。
【００４７】
上記のフローチャートのステップＳ2，Ｓ3で、全てイエス（ＹＥＳ）を選択した場合には、メモリカードへの録画優先を実行するものである。
【００４８】
次に、図１の予約録画のための操作及び動作の他の例について、図４のフローチャートを参照して説明する。  
メモリカード１８の装着及び番組予約録画を行うに際して、前以って、図示しないリモコンなどの操作手段を用いて予約録画の受信チャンネル，開始時刻，終了時刻などを含む番組予約情報を入力する。入力された番組予約情報は予約手段１６に設定される（ステップＳ21）。番組予約情報の入力は、例えば、ディスプレイ１７に表示されるメニュー画面の表示に従って行われる。そして、記録媒体の選択へ進む。
【００４９】
まず、メモリカードに記録するか否かの選択が行われる（ステップＳ22）。ステップＳ22でノー（ＮＯ）の判断をした場合、記録部１４内のメイン記録媒体への予約録画設定へ進む。或いは、ＴＶ受信機の機能で言えば番組視聴予約へ進む（ステップＳ25）。
【００５０】
ステップＳ22で「メモリカードに記録する」を選択した場合、自動録画設定をするか否かの選択が行われる（ステップＳ23）。ステップＳ23でノー（ＮＯ）の選択をした場合、通常の記録媒体の予約方法での設定となる。つまり、タイマー録画ボタンを押さない限り録画モードに入らない状態となる（ステップＳ26）。
【００５１】
ステップＳ23で「自動録画設定をする」を選択した場合、メモリカードを自動更新（上書き）するか否かが選択される（ステップＳ24）。「自動更新するか否か」は、上書きの可否を選択することと同義である。ステップＳ24でノー（ＮＯ）の選択をした場合、通常行われている追記方式の録画形態、即ち、記録済み以外の媒体空き領域への録画を行う。媒体の残容量が不足した場合は追記できないので、その部分は上限になれば、録画が停止する（ステップＳ27）。若しくは、先頭からの上書きとなる。
【００５２】
ステップＳ24で「カード内容を自動更新する」を選択した場合、装置本体側にメモリカードを装着した後（ステップＳ28）、メモリカードが装置本体の装着手段（図示せず）に装着されているか否かが判定される（ステップＳ29）。メモリカードが装着されていると判定されると、録画鍵が一致するか否かが判定される（ステップＳ30）。ステップＳ30で、録画鍵が一致していなければ、別の録画鍵の合ったメモリカードを用意し（ステップＳ31）、ステップＳ28のメモリカード装着にリターンして、ステップＳ28，Ｓ29，Ｓ30を繰り返す。
【００５３】
ステップＳ30で、録画鍵が一致していれば、ステップＳ32へ進み、自動的に番組予約情報の内容及び上書き録画が実行され、メモリカード１８の記録済み内容に関わらずメモリカードの先頭から常に上書きする動作が行われる。メモリカードを上書きする動作とは、ブロック毎に可能な消去動作とその消去動作によって消去した領域への記録動作とを組み合せた動作を指している。
【００５４】
上記のフローチャートのステップＳ22，Ｓ23，Ｓ24で、全てイエス（ＹＥＳ）を選択した場合には、メモリカードへの録画優先を実行するものであり、本願における最大の特徴を得ることができる。
【００５５】
以上により、例えば、毎日朝７時からのニュースを録画しようとした場合、前日の夜帰宅時に予約設定されている記録媒体録画装置１０としてのＴＶ受信機もしくはＶＴＲ，ＤＶＤレコーダー等にメモリカード１８を装着すれば、予め装置本体に予約設定してある番組予約情報に従って自動的に録画予約モードに入り自動的に予約録画が実行され、朝、外出時に記録媒体録画装置１０からメモリカード１８を取り出し、携帯型のカード再生機（ビューワー）にメモリカード１８を装着してニュースを再生することが可能となる。その際、図４のフローのように装置本体に予めカード内容の自動更新が設定してあると、自動更新が設定後は常に、前日のメモリカードの内容に関わらずメモリカードの先頭から上書きする動作が行われるので、その都度、新しいメモリカードを用意する必要がなく、使い勝手がよい。
【実施例２】
【００５６】
図５は本発明の実施例２の記録媒体録画装置の概略構成を示すブロック図である。ブロック的には図１と同様な構成となっているが、機能的には図１とは異なっているので、メモリカード以外は図１とは異なった符号を付してある。
【００５７】
図５の実施例２は、一方の録画装置本体において予め、番組予約情報をメモリカード側に記録しておき、別の録画装置本体側に予約情報が全く設定されていない場合でも、番組予約情報が記録されたメモリカードが装着されたときにその予約情報を読み込んで、自動的に録画予約がその装置に設定されるようにしたものである。
【００５８】
図５(a)は番組予約情報記録装置として機能する記録媒体録画装置１０Ａを示し、図５(b)は番組予約情報実行装置として機能する記録媒体録画装置１０Ｂを示している。
【００５９】
図５(a)の記録媒体録画装置１０Ａにおいて、符号１１-1はデジタル放送受信アンテナ、１２-1チューナ部、１３-1はＭＰＥＧ２／４デコーダ、１４-1は記録部、１５-1はＣＰＵ、１６-1は予約手段、１７-1はディスプレイ、１８はメモリカード、１８１は識別子としての録画鍵、をそれぞれ示している。  
記録媒体録画装置１０Ａを番組予約情報記録装置として機能させるには、予め装置本体の予約手段１６-1に番組予約情報及び上書き録画可を示す情報を入力設定しておき、メモリカード１８を装置本体の装着手段に装着すると、メニュー画面には「メモリカードに予約情報及び上書き録画可を記録するか」が表示され、リモコンなどの操作手段（図示略）にてイエス（ＹＥＳ）を選択した場合、番組予約情報18A-1を記録した予約記録媒体としてのメモリカード１８Ａを作成することができる。
【００６０】
図５(b)の記録媒体録画装置１０Ｂにおいて、符号１１-2はデジタル放送受信アンテナ、１２-2チューナ部、１３-2はＭＰＥＧ２／４デコーダ、１４-2は記録部、１５-2はＣＰＵ、１６-2は予約手段、１７-2はディスプレイ、１８Ａは番組予約情報18A-1が記録されたメモリカード、１８１は識別子としての録画鍵、をそれぞれ示している。ＣＰＵ１５-2は、メモリカード１８Ａから番組予約情報18A-1や録画鍵181を記録部１４-2を介して読み込み、録画予約モードを設定する機能を有している。
【００６１】
そして、記録媒体録画装置１０Ａの装置本体から番組予約情報18A-1を記録したメモリカード１８Ａを取り外して別の記録媒体録画装置１０Ｂに装着すると、記録媒体録画装置１０Ｂは番組予約情報実行装置として機能して、開始時刻になると、記録媒体録画装置１０Ｂがメモリカード１８Ａに記録された番組予約情報の内容を自動的に実行して、チューナ部１２-2にて選択した受信チャンネルの映像及び音声データがメモリカード１８Ａに録画される。
【００６２】
図６は図５における記録媒体録画装置１０Ａ，１０Ｂの操作及び動作の一例を説明するフローチャートである。
【００６３】
まず、一方の記録媒体録画装置１０Ａに番組予約情報を入力する。入力された番組予約情報は予約手段１６-1に設定される（ステップＳ41）。番組予約情報の入力は、例えば、ディスプレイ１７-1に表示されるメニュー画面の表示に従って行われる。
【００６４】
そして、メモリカード１８を装置本体の装着手段に装着すると（ステップＳ42）、メモリカードが装着されているか否かが判定され（ステップＳ43）、メモリカードの装着が確認されると、次にメモリカードの録画鍵が装置本体のものと一致するか否かが判定される（ステップＳ44）。録画鍵が一致していないと、別の録画鍵の合ったメモリカードを用意する（ステップＳ46）。
【００６５】
ステップＳ44で録画鍵が一致していると、メニュー画面には「メモリカードに番組予約情報を記録するか」の選択画面が表示される（ステップＳ45）。ステップＳ45で、リモコンなどの操作手段（図示略）にてノー（ＮＯ）を選択した場合は、メモリカード１８Ａへの番組予約情報の書込み設定はなされず、通常予約モードから記録媒体選定を行って予約実行する（ステップＳ47）。
【００６６】
ステップＳ45でイエス（ＹＥＳ）を選択した場合、番組予約情報18A1-がメモリカード１８に書き込まれ、番組予約情報18A1-が記録された自動録画予約記録媒体であるメモリカード１８Ａが作成される（ステップＳ48）。
【００６７】
つぎに、記録媒体録画装置１０Ａの装置本体からメモリカード１８Ａを取り外して別のＴＶ受信機や録画再生機である記録媒体録画装置１０Ｂに装着すると（ステップＳ49）、ＣＰＵ１５-2はメモリカード１８Ａが装着手段に装着されているか否かの判定を行い（ステップＳ50）、メモリカードの装着が確認されると、メモリカード１８Ａの録画鍵181が記録媒体録画装置１０Ｂのそれと一致するか否かが判定され（ステップＳ51）、録画鍵が一致していると、メモリカード１８Ａに記録可能な領域があるか否かが判定される（ステップＳ52）。
【００６８】
ステップＳ52で、メモリカード１８Ａに記録可能な領域があると、ステップＳ55へに進み、別の記録媒体録画装置１０Ｂにて自動的に番組予約情報の内容が実行される。
【００６９】
すなわち、ステップＳ52でメモリカード１８Ａに記録可能な領域があれば、自動的にステップＳ55に進み、記録媒体録画装置１０Ｂは番組予約情報実行装置として機能して、予約開始時刻になると、記録媒体録画装置１０Ｂがメモリカード１８Ａに記録された番組予約情報の内容を自動的に実行して、チューナ部１２-2にて選択した受信チャンネルの映像及び音声データがメモリカード１８Ａに録画される（ステップＳ55）。
【００７０】
なお、ステップＳ51で、録画鍵が一致しなかった場合や、ステップＳ52で記録可能な領域がない場合は、それぞれ、別のメモリカードを用意して（ステップＳ53，またはステップＳ54）、ステップＳ42にリターンし、Ｓ42〜Ｓ51、またはＳ42〜Ｓ52を繰り返す。
【００７１】
図５、及び図６の録画システムによれば、図５(b)の録画予約を実行する装置には、予約設定する必要がなく、番組予約情報の入ったメモリカード１８Ａを番組予約情報実行装置としての録画装置１０Ｂに挿し込むだけでＣＰＵが録画鍵の合致及び記録可能領域有りを確認して自動的に番組予約を実行できる。従って、番組予約情報実行装置として機能可能な録画装置が複数あった場合（例えば同じメーカーの録画装置やＴＶ受信機が複数あった場合）、番組予約及び上書き録画可の情報の入ったメモリカード１８Ａをどの録画装置やＴＶ受信機に挿し込んでも、挿し込まれた装置本体に予め予約設定されていなくてもメモリカード１８Ａの番組予約情報だけで予約実行することができ、便利である。
【００７２】
図７は図５における記録媒体録画装置１０Ａ，１０Ｂの操作及び動作の他の例を説明するフローチャートである。
【００７３】
まず、一方の記録媒体録画装置１０Ａに番組予約情報及び上書き録画可を示す情報を入力する。入力された番組予約及び上書き録画可の情報は予約手段１６-1に設定される（ステップＳ61）。番組予約及び上書き録画可の情報の入力は、例えば、ディスプレイ１７-1に表示されるメニュー画面の表示に従って行われる。
【００７４】
そして、メモリカード１８を装置本体の装着手段に装着すると（ステップＳ62）、メモリカードが装着されているか否かが判定され（ステップＳ63）、メモリカードの装着が確認されると、次にメモリカードの録画鍵が装置本体のものと一致するか否かが判定される（ステップＳ64）。録画鍵が一致していないと、録画鍵の合った別のメモリカードを用意する（ステップＳ66）。
【００７５】
ステップＳ64で録画鍵が一致していると、メニュー画面には「メモリカードに番組予約及び上書き録画可の情報を記録するか」の選択画面が表示される（ステップＳ65）。ステップＳ65で、リモコンなどの操作手段（図示略）にてノー（ＮＯ）を選択した場合は、メモリカード１８Ａへの番組予約情報及び上書き録画可の情報の書込み設定はなされず、通常予約モードから記録媒体選定を行って予約実行する（ステップＳ67）。
【００７６】
ステップＳ65でイエス（ＹＥＳ）を選択した場合、番組予約情報18A-1として番組予約及び上書き録画可の情報がメモリカード１８に書き込まれ、その番組予約情報18A-1が記録された自動録画予約記録媒体であるメモリカード１８Ａが作成される（ステップＳ68）。
【００７７】
次に、記録媒体録画装置１０Ａの装置本体の装着手段（図示せず）からメモリカード１８Ａを取り外して別の記録媒体録画装置１０Ｂに装着すると（ステップＳ69）、ＣＰＵ１５-2はメモリカード１８Ａが装着手段に装着されているか否かの判定を行い（ステップＳ70）、メモリカードの装着が確認されると、メモリカード１８Ａの録画鍵181が記録媒体録画装置１０Ｂのそれと一致するか否かを判定する（ステップＳ71）。ステップＳ71で、録画鍵が一致しなかった場合は、別のメモリカードを用意して（ステップＳ72）、ステップＳ62にリターンし、Ｓ62〜Ｓ71を繰り返す。
【００７８】
ステップＳ71で録画鍵が一致していれば、自動的にステップＳ73に進み、記録媒体録画装置１０Ｂは番組予約情報実行装置として機能して、予約開始時刻になると、記録媒体録画装置１０Ｂがメモリカード１８Ａに記録された番組予約及び上書き録画可の情報内容を自動的に実行して、チューナ部１２-2にて選択した受信チャンネルの映像及び音声データがメモリカード１８Ａの記録済み内容に関わらずに上書き録画される（ステップＳ73）。
【００７９】
すなわち、ステップＳ71で録画鍵が一致していると、自動的にステップＳ73に進み、記録媒体録画装置１０Ｂは番組予約情報実行装置として機能して、予約開始時刻になると、記録媒体録画装置１０Ｂがメモリカード１８Ａに記録された番組予約及び上書き録画可の情報内容を自動的に実行して、チューナ部１２-2にて選択した受信チャンネルの映像及び音声データがメモリカード１８Ａに、メモリカード１８Ａの記録済み内容に関わらずメモリカードの先頭から常に上書き録画される（ステップＳ73）。
【００８０】
図５、及び図７の録画システムによれば、図５(b)の録画予約を実行する装置には、予約設定する必要がなく、番組予約及び上書き録画可の情報の入ったメモリカード１８Ａを番組予約情報実行装置としての録画装置１０Ｂに挿し込むだけでＣＰＵが録画鍵の合致を見て自動的に番組予約及び上書き録画を実行できる。従って、番組予約情報実行装置として機能可能な録画装置が複数あった場合（例えば同じメーカーの録画装置やＴＶ受信機が複数あった場合）、番組予約及び上書き録画可の情報の入ったメモリカード１８Ａをどの録画装置やＴＶ受信機に挿し込んでも、挿し込まれた装置本体に予め予約設定されていなくてもメモリカード１８Ａの番組予約及び上書き録画可の情報だけで予約実行及び上書き録画することができ、便利である。上書き録画が実行されることにより、メモリカード１８Ａに記録済みデータがあってもそれを上書きして新たに予約された映像及び音声データを録画することができる。
【実施例３】
【００８１】
１つの記録媒体録画装置が、何の情報も書き込まれていない記録媒体であるメモリカードを装置本体に挿し込むと、装置本体に予め設定された番組予約情報（及び上書き録画可の情報）をそのメモリカードに書き込む番組予約情報記録機能と、何の情報も書き込まれていない記録媒体であるメモリカードを装置本体に挿し込むと、予約録画モードに入り、装置本体に予め設定された番組予約情報（及び上書き録画可の情報）が実行され、受信されたテレビジョン放送信号をそのメモリカードカードに記録する番組予約情報実行機能と、を具備する構成としてもよい。
【００８２】
このような番組予約情報記録機能と番組予約情報実行機能とを具備した記録媒体録画装置の構成例として、次の２つの構成が可能である。
【００８３】
第１の構成例の記録媒体録画装置は、番組予約情報が設定される設定手段と、記録媒体が装着される装着手段と、前記装着手段に記録媒体が装着されているか否かをチェックするチェック手段と、前記チェック手段にて記録媒体が装着されていると判定されている状態で、前記番組予約情報を前記記録媒体に記録するか否かが選択される選択手段と、前記選択手段にて前記番組予約情報を前記記録媒体に記録するように選択されているとき、前記設定手段に設定されている前記番組予約情報を前記記録媒体に記録する記録手段と、を備えた番組予約情報記録機能と、テレビジョン放送信号を受信する受信手段と、受信した前記テレビジョン放送信号を復調する復調手段と、番組予約情報が設定される第１の設定手段と、番組が記録される記録媒体が選択される選択手段と、前記選択手段にて記録媒体が選択された場合、自動録画動作が設定される第２の設定手段と、記録媒体が装着される装着手段と、前記装着手段に前記記録媒体が装着されているか否かをチェックする第１のチェック手段と、前記第１のチェック手段にて前記記録媒体が装着されていると判定された場合に、その記録媒体に記録可能な領域があるか否かをチェックする第２のチェック手段と、前記第２のチェック手段にて前記記録媒体に記録可能な領域があると判定されている状態で、前記第１の設定手段に設定されている前記番組予約情報を実行し前記記録媒体に前記復調された放送信号を録画する記録手段と、を備えた番組予約情報実行機能と、を具備したものである。
【００８４】
上記の第１の構成例の記録媒体録画装置は、何の情報も書き込まれていない記録媒体を装置本体に挿し込むと、装置本体に予め設定された番組予約情報をその記録媒体に書き込む番組予約情報記録機能と、何の情報も書き込まれていない記録媒体を装置本体に挿し込むと、予約録画モードに入り、装置本体に予め設定された番組予約情報が実行され、受信されたテレビジョン放送信号をその記録媒体に記録する番組予約情報実行機能とを、１つの記録媒体録画装置内に備えたものである。
【００８５】
第２の構成例の記録媒体録画装置は、番組予約情報が設定される設定手段と、記録媒体が装着される装着手段と、前記装着手段に記録媒体が装着されているか否かをチェックするチェック手段と、前記チェック手段にて記録媒体が装着されていると判定されている状態で、前記番組予約情報を前記記録媒体に記録するか否かが選択される選択手段と、前記選択手段にて前記番組予約情報を前記記録媒体に記録するように選択されているとき、前記設定手段に設定されている前記番組予約情報を前記記録媒体に記録する記録手段と、を備えた番組予約情報記録機能と、テレビジョン放送信号を受信する受信手段と、受信した前記テレビジョン放送信号を復調する復調手段と、番組予約の情報が設定される第１の設定手段と、番組が記録される記録媒体が選択される選択手段と、前記選択手段にて記録媒体が選択された場合、自動録画が設定される第２の設定手段と、前記第２の設定手段にて記録媒体への自動録画が設定されている状態で、記録媒体の自動更新が設定される第３の設定手段と、記録媒体が装着される装着手段と、前記装着手段に前記記録媒体が装着されているか否かをチェックするチェック手段と、前記チェック手段にて記録媒体が装着されていると判定されている状態で、前記第１の設定手段に設定されている前記番組予約情報を実行し前記記録媒体の記録内容に関わらずその記録媒体の先頭から上書きするように前記復調された放送信号を録画する記録手段と、を備えた番組予約情報実行機能と、を具備したものである。
【００８６】
上記の第２の構成例の記録媒体録画装置は、何の情報も書き込まれていない記録媒体を装置本体に挿し込むと、装置本体に予め設定された番組予約及び上書き録画可の情報をその記録媒体に書き込む番組予約情報記録機能と、何の情報も書き込まれていない記録媒体を装置本体に挿し込むと、予約録画モードに入り、装置本体に予め設定された番組予約及び上書き録画可の情報が実行され、受信されたテレビジョン放送信号をその記録媒体に上書き記録する番組予約情報実行機能とを、１つの記録媒体録画装置内に備えたものである。
【産業上の利用可能性】
【００８７】
本発明は、録画機能を有するＴＶ受信機や録画再生機器において、例えば番組録画予約を行う場合、着脱自在な記録媒体を利用して該記録媒体を挿し込むだけで、録画優先動作させる際に特に有用である。
【図面の簡単な説明】
【００８８】
【図１】本発明の実施例１の記録媒体録画装置の概略構成を示すブロック図。
【図２】図１の記録媒体録画装置によるメモリカードへの予約録画及びその録画データの利用例を説明する斜視図。
【図３】図１の予約録画のための操作及び動作の一例を説明するフローチャート。
【図４】図１の予約録画のための操作及び動作の他の例を説明するフローチャート。
【図５】本発明の実施例２の記録媒体録画装置の概略構成を示すブロック図。
【図６】図５の予約録画のための操作及び動作の一例を説明するフローチャート。
【図７】図５の予約録画のための操作及び動作の他の例を説明するフローチャート。
【符号の説明】
【００８９】
１０…記録媒体録画装置
１２…ＭＰＥＧ２／４デコーダ
１４…記録部
１５…ＣＰＵ
１６…予約手段
１８，１８Ａ…メモリカード（記録媒体）
１８Ａ-1…番組予約情報
１８１…録画鍵
代理人    弁理士      伊    藤      進 
【図１】
2005191963.tif 000003
【図２】
2005191963.tif 000004
【図３】
2005191963.tif 000005
【図４】
2005191963.tif 000006
【図５】
2005191963.tif 000007
【図６】
2005191963.tif 000008
【図７】
2005191963.tif 000009